(57)【特許請求の範囲】
【請求項１】
ポイントコレクションサービス機能を実現するための制御手段を備えた自動販売機において、
前記制御手段が、
商品購入希望者に対して登録ボタンの押下またはテンキーによる登録済みの識別番号の入力を促し（サービス案内状態）、
当該登録ボタンの押下が確認できた段階で、前記商品購入希望者が前記サービスを初めて利用する未登録者であると判断し、前記サービスを提供するために必要となる任意の識別番号の入力を促し、
当該識別番号の入力が確認できた段階で、その入力内容を登録し、その後、金銭の投入を促し、
当該金銭投入が確認できた段階で、購入を希望する商品の選択を促し、
商品選択ボタンの押下が確認できた段階で、対応する商品を払い出し、さらに、今回の購入によるポイントを記憶することを特徴とする自動販売機。
【請求項２】
前記制御手段は、
登録済みの識別番号の入力が確認できた段階で、現在までのトータルポイントを表示し、
当該トータルポイントが予め規定された通過ポイントと一致した場合に、サービス対応商品を払い出すことを特徴とする請求項１に記載の自動販売機。
【請求項３】
ポイントコレクションサービス機能を実現するための制御手段を備えた自動販売機において、
前記制御手段が、
商品購入希望者に対して指紋センサ機能付き登録スイッチの押下を促し（サービス案内状態）、
当該指紋センサ機能付き登録スイッチの押下が確認できた段階で、前記商品購入希望者が前記サービスを初めて利用する未登録者であると判断した場合に、検出した指紋データを登録し、その後、金銭の投入を促し、
当該金銭投入が確認できた段階で、購入を希望する商品の選択を促し、
商品選択ボタンの押下が確認できた段階で、対応する商品を払い出し、さらに、今回の購入によるポイントを記憶することを特徴とする自動販売機。
【請求項４】
前記制御手段は、
前記指紋センサ機能付き登録スイッチの押下が確認できた段階で、前記商品購入希望者が前記サービスの登録者であると判断した場合に、現在までのトータルポイントを表示し、
当該トータルポイントが予め規定された通過ポイントと一致した場合に、サービス対応商品を払い出すことを特徴とする請求項３に記載の自動販売機。
【請求項５】
前記制御手段は、
前記通過ポイントと一致していない場合に、金銭の投入を促し、
当該金銭投入が確認できた段階で、購入を希望する商品の選択を促し、
商品選択ボタンの押下が確認できた段階で、対応する商品を払い出し、その後、今回の購入によるポイントを前回までのトータルポイントに加算し、その加算結果を記憶し、
加算後のトータルポイントが賞品と交換可能な所定の最終ポイントに達している場合に、賞品交換用カードを排出し、同時に、当該トータルポイントをクリアすることを特徴とする請求項１〜４のいずれか一つに記載の自動販売機。
【請求項６】
ポイントコレクションサービス機能を実現するための制御手段を備えた自動販売機において、
前記制御手段が、
商品購入希望者に対して指紋センサ機能付き商品選択ボタンの押下を促し（サービス案内状態）、
当該指紋センサ機能付き商品選択ボタンの押下が確認できた段階で、前記商品購入希望者が前記サービスを初めて利用する未登録者であると判断した場合に、検出した指紋データを登録し、その後、金銭の投入を促し、
当該金銭投入が確認できた段階で、押下された商品選択ボタンに対応する商品を払い出し、さらに、今回の購入によるポイントを記憶することを特徴とする自動販売機。
【請求項７】
前記制御手段は、
前記指紋センサ機能付き商品選択ボタンの押下が確認できた段階で、前記商品購入希望者が前記サービスの登録者であると判断した場合に、金銭の投入を促し、
当該金銭投入が確認できた段階で、押下された商品選択ボタンに対応する商品を払い出し、その後、今回の購入によるポイントを前回までのトータルポイントに加算し、その加算結果を記憶し、
加算後のトータルポイントが賞品と交換可能な所定の最終ポイントに達している場合に、賞品交換用カードを排出し、同時に、当該トータルポイントをクリアすることを特徴とする請求項６に記載の自動販売機。
【請求項８】
さらに、前記制御手段は、
前記商品購入希望者によって選択された商品の払い出しが完了した後に、新たに商品購入ボタンが押下された場合（連続購入）、前記ポイントの加算処理を実行し、最後の商品の払い出しが完了後、前記サービス案内状態に移行し、
一方で、前記連続購入中に所定の最終ポイントに達した場合には、前記賞品交換用カードを排出することを特徴とする請求項１〜７のいずれか一つに記載の自動販売機。
【請求項９】
商品購入希望者に対して、登録ボタンの押下、またはテンキーによる登録済みの識別番号の入力を促す（サービス案内状態）第１ステップと、
前記登録ボタンの押下が確認できた段階で、前記商品購入希望者がポイントコレクションサービスを初めて利用する未登録者であると判断し、前記サービスを提供するために必要となる任意の識別番号の入力を促す第２ステップと、
前記識別番号の入力が確認できた段階で、その入力内容を登録し、その後、金銭の投入を促す第３ステップと、
前記第３ステップに対する応答として、金銭投入が確認できた段階で、購入を希望する商品の選択を促す第４ステップと、
商品選択ボタンの押下が確認できた段階で、対応する商品を払い出し、さらに、今回の購入によるポイントを記憶する第５ステップと、
前記サービス案内状態において、登録済みの識別番号の入力が確認できた段階で、現在までのトータルポイントを表示する第６ステップと、
前記トータルポイントが予め規定された通過ポイントと一致した場合に、サービス対応商品を払い出す第７ステップと、
前記通過ポイントと一致していない場合に、金銭の投入を促す第８ステップと、
前記第８ステップに対する応答として、金銭投入が確認できた段階で、購入を希望する商品の選択を促す第９ステップと、
商品選択ボタンの押下が確認できた段階で、対応する商品を払い出し、その後、今回の購入によるポイントを前回までのトータルポイントに加算し、その加算結果を記憶する第１０ステップと、
前記加算後のトータルポイントが賞品と交換可能な所定の最終ポイントに達している場合に、賞品交換用カードを排出し、同時に、当該トータルポイントをクリアする第１１ステップと、
をコンピュータに実行させることを特徴とするポイントコレクションサービス実行プログラム。
【請求項１０】
商品購入希望者に対して指紋センサ機能付き登録スイッチの押下を促す（サービス案内状態）第１ステップと、
前記指紋センサ機能付き登録スイッチの押下が確認できた段階で、前記商品購入希望者がポイントコレクションサービスを初めて利用する未登録者であると判断した場合に、検出した指紋データを登録し、その後、金銭の投入を促す第２ステップと、
前記第２ステップに対する応答として、金銭投入が確認できた段階で、購入を希望する商品の選択を促す第３ステップと、
商品選択ボタンの押下が確認できた段階で、対応する商品を払い出し、さらに、今回の購入によるポイントを記憶する第４ステップと、
前記サービス案内状態において、前記指紋センサ機能付き登録スイッチの押下が確認できた段階で、前記商品購入希望者が前記サービスの登録者であると判断した場合に、現在までのトータルポイントを表示する第５ステップと、
前記トータルポイントが予め規定された通過ポイントと一致した場合に、サービス対応商品を払い出す第６ステップと、
前記通過ポイントと一致していない場合に、金銭の投入を促す第７ステップと、
前記第７ステップに対する応答として、金銭投入が確認できた段階で、購入を希望する商品の選択を促す第８ステップと、
商品選択ボタンの押下が確認できた段階で、対応する商品を払い出し、その後、今回の購入によるポイントを前回までのトータルポイントに加算し、その加算結果を記憶する第９ステップと、
前記加算後のトータルポイントが賞品と交換可能な所定の最終ポイントに達している場合に、賞品交換用カードを排出し、同時に、当該トータルポイントをクリアする第１０ステップと、
をコンピュータに実行させることを特徴とするポイントコレクションサービス実行プログラム。
【請求項１１】
商品購入希望者に対して指紋センサ機能付き商品選択ボタンの押下を促す（サービス案内状態）第１ステップと、
前記指紋センサ機能付き商品選択ボタンの押下が確認できた段階で、前記商品購入希望者がポイントコレクションサービスを初めて利用する未登録者であると判断した場合に、検出した指紋データを登録し、その後、金銭の投入を促す第２ステップと、
前記金銭投入が確認できた段階で、押下された商品選択ボタンに対応する商品を払い出し、さらに、今回の購入によるポイントを記憶する第３ステップと、
前記サービス案内状態において、前記指紋センサ機能付き商品選択ボタンの押下が確認できた段階で、前記商品購入希望者が前記サービスの登録者であると判断した場合に、金銭の投入を促す第４ステップと、
前記金銭投入が確認できた段階で、押下された商品選択ボタンに対応する商品を払い出し、その後、今回の購入によるポイントを前回までのトータルポイントに加算し、その加算結果を記憶する第５ステップと、
前記加算後のトータルポイントが賞品と交換可能な所定の最終ポイントに達している場合に、賞品交換用カードを排出し、同時に、当該トータルポイントをクリアする第６ステップと、
をコンピュータに実行させることを特徴とするポイントコレクションサービス実行プログラム。
【発明の詳細な説明】
【０００１】
【発明の属する技術分野】
本発明は、学校や職場等、同一人物が繰り返し利用するような特定領域に設置するサービス機能付きの自動販売機に関するものであり、特に、ポイントコレクションサービスに関するアプリケーションプログラム（以降、ポイントコレクションサービス実行プログラムと呼ぶ）を自律的に実行する自動販売機、および当該ポイントコレクションサービス実行プログラムに関するものである。
【０００２】
【従来の技術】
以下、従来の自動販売機について説明する。金銭が投入されることにより自動的に所望の商品、たとえば、飲料やたばこ等を販売する自動販売機は、多種多様なものが開発されており、商品購入の手軽さや管理の容易さ、わずかな設置面積、販売に要する人件費の削減等の理由により、各地に数多く普及している。
【０００３】
その一方で、自動販売機は、商品の販売を促進させる上で他の自動販売機と差別化を図ることが困難であり、同様な商品の販売をおこなう自動販売機間において、どの自動販売機を利用して商品を購入するかについては、一般に利用者側の趣向に委ねていた。
【０００４】
そこで、より積極的な販売促進を実現するために、商品の販売の際に一定条件の下でポイント付与する、いわゆるポイントコレクションサービス機能付き自動販売機が開発されている。図６は、従来のポイントコレクションサービス機能付き自動販売機の外観を示す概略図である。図６に示すポイントコレクションサービス機能付き自動販売機２００では、利用者によってコイン投入口２０３または紙幣投入口２０４に金銭が投入されることで、商品の販売処理を開始する。
【０００５】
この際、図示しないコイン処理機構や紙幣処理機構が、投入された金銭の真偽を判定し、不良な金銭であると判定した場合、たとえば、不良なコインの投入に対しては、そのコインを返却口２０７から返却する。また、これらのコイン処理機構や紙幣処理機構および図示しない演算処理部によって、連続投入された金銭の合計金額が演算され、投入金額表示器２０５にその合計額が表示される。
【０００６】
投入した金銭の合計金額が、自動販売機２００において販売可能な商品のいずれかの販売価格に達すると、商品展示台２０１に陳列された商品の見本にそれぞれ対応した選択スイッチ２０２のうち、購入可能な商品の選択スイッチ２０２の販売可能ランプが点灯する。
【０００７】
そして、利用者が、点灯した選択スイッチ２０２のうちのいずれかを押し下げると、その選択スイッチ２０２に対応する商品が、図示しない商品搬出機構の動作によって商品取出口２０８へと搬出される。また、この際、購入した商品の販売価格以上の金銭を投入している場合には、上記演算処理部により釣銭金額が演算され、その釣銭がコイン処理機構を通じて返却口２０７から返却される。これにより、一商品の販売処理が完了する。
【０００８】
さらに、ポイントコレクションサービス機能付き自動販売機２００では、カードリーダ２０９にポイントカードが入れられた後に選択スイッチ２０２が押下されると、当該ポイントカードに記憶された前回までのポイントに今回の購入に応じたポイントを加算し、ポイント加算後のカードを返却する。そして、ポイントカードの所有者は、取得したポイントに応じて、たとえば、キャンペーン商品を受け取ることができる。また、所定ポイントに達したポイントカードを郵送することによって、予め決められたプレゼント（賞品）を得ることもできる。
【０００９】
このように、ポイントコレクションサービス機能付き自動販売機２００では、たとえば、上記ポイントコレクションサービスを提供することによって、すなわち、商品の購入に応じたポイントを利用者のカードに付与することによって、他の自動販売機と差別化を図っている。すなわち、上記サービスの提供および差別化により、利用者による商品の購入意欲を促し、販売促進の実現を図っている。
【００１０】
【発明が解決しようとする課題】
しかしながら、上記、従来のサービス機能つきの自動販売機においては、たとえば、特定の商品（キャンペーン商品等）に対してポイントコレクションサービスを適用する場合、ポイントカード等を用いてポイントの記録／集計を行うことになるため、自動販売機に、カードリーダ等のような高価な機器を内蔵もしくは外付けする必要がある、という問題があった。
【００１１】
本発明は、上記に鑑みてなされたものであって、より簡易な構成および方法で購入者に対してポイントコレクションサービスを提供可能な自動販売機、および当該ポイントコレクションサービス実行プログラムを提供することを目的とする。
【００１２】
【課題を解決するための手段】
上述した課題を解決し、目的を達成するために、請求項１の発明にかかる自動販売機にあっては、ポイントコレクションサービス機能を実現するための制御手段を備え、前記制御手段が、商品購入希望者に対して登録ボタンの押下またはテンキーによる登録済みの識別番号の入力を促し（サービス案内状態）、当該登録ボタンの押下が確認できた段階で、前記商品購入希望者が前記サービスを初めて利用する未登録者であると判断し、前記サービスを提供するために必要となる任意の識別番号の入力を促し、当該識別番号の入力が確認できた段階で、その入力内容を登録し、その後、金銭の投入を促し、当該金銭投入が確認できた段階で、購入を希望する商品の選択を促し、商品選択ボタンの押下が確認できた段階で、対応する商品を払い出し、さらに、今回の購入によるポイントを記憶することを特徴とする。
【００１３】
この発明によれば、自動販売機にテンキー、登録ボタンおよび決定ボタン等を設けることによって、初めてこの自動販売機を利用する商品購入希望者に対してポイントコレクションサービスを提供する。
【００１４】
請求項２の発明にかかる自動販売機において、前記制御手段は、登録済みの識別番号の入力が確認できた段階で、現在までのトータルポイントを表示し、当該トータルポイントが予め規定された通過ポイントと一致した場合に、サービス対応商品を払い出すことを特徴とする。
【００１５】
この発明によれば、予め定められた通過ポイント（おまけ販売ポイント）で、自動販売機内の商品をおまけとして提供することによって、自動販売機の利用者の商品購入意欲を促進させる。
【００１６】
請求項３の発明にかかる自動販売機にあっては、ポイントコレクションサービス機能を実現するための制御手段を備え、前記制御手段が、商品購入希望者に対して指紋センサ機能付き登録スイッチの押下を促し（サービス案内状態）、当該指紋センサ機能付き登録スイッチの押下が確認できた段階で、前記商品購入希望者が前記サービスを初めて利用する未登録者であると判断した場合に、検出した指紋データを登録し、その後、金銭の投入を促し、当該金銭投入が確認できた段階で、購入を希望する商品の選択を促し、商品選択ボタンの押下が確認できた段階で、対応する商品を払い出し、さらに、今回の購入によるポイントを記憶することを特徴とする。
【００１７】
この発明によれば、自動販売機に指紋センサ機能付き登録スイッチを設けることによって、初めてこの自動販売機を利用する商品購入希望者に対してポイントコレクションサービスを提供する。
【００１８】
請求項４の発明にかかる自動販売機において、前記制御手段は、前記指紋センサ機能付き登録スイッチの押下が確認できた段階で、前記商品購入希望者が前記サービスの登録者であると判断した場合に、現在までのトータルポイントを表示し、当該トータルポイントが予め規定された通過ポイントと一致した場合に、サービス対応商品を払い出すことを特徴とする。
【００１９】
この発明によれば、予め定められた通過ポイント（おまけ販売ポイント）で、自動販売機内の商品をおまけとして提供することによって、自動販売機の利用者の商品購入意欲を促進させる。
【００２０】
請求項５の発明にかかる自動販売機において、前記制御手段は、前記通過ポイントと一致していない場合に、金銭の投入を促し、当該金銭投入が確認できた段階で、購入を希望する商品の選択を促し、商品選択ボタンの押下が確認できた段階で、対応する商品を払い出し、その後、今回の購入によるポイントを前回までのトータルポイントに加算し、その加算結果を記憶し、加算後のトータルポイントが賞品と交換可能な所定の最終ポイントに達している場合に、賞品交換用カードを排出し、同時に、当該トータルポイントをクリアすることを特徴とする。
【００２１】
この発明によれば、自動販売機に設けたテンキーを用いて登録済みの認識番号を入力することによって、または、自動販売機に設けた指紋センサ機能付き登録スイッチを押下することによって、登録済みのすべての商品購入希望者に対してポイントコレクションサービスを提供する。
【００２２】
請求項６の発明にかかる自動販売機にあっては、ポイントコレクションサービス機能を実現するための制御手段を備え、前記制御手段が、商品購入希望者に対して指紋センサ機能付き商品選択ボタンの押下を促し（サービス案内状態）、当該指紋センサ機能付き商品選択ボタンの押下が確認できた段階で、前記商品購入希望者が前記サービスを初めて利用する未登録者であると判断した場合に、検出した指紋データを登録し、その後、金銭の投入を促し、当該金銭投入が確認できた段階で、押下された商品選択ボタンに対応する商品を払い出し、さらに、今回の購入によるポイントを記憶することを特徴とする。
【００２３】
この発明によれば、自動販売機に指紋センサ機能付き商品選択ボタンを設けることによって、初めてこの自動販売機を利用する商品購入希望者に対して、ポイントコレクションサービスを提供する。
【００２４】
請求項７の発明にかかる自動販売機において、前記制御手段は、前記指紋センサ機能付き商品選択ボタンの押下が確認できた段階で、前記商品購入希望者が前記サービスの登録者であると判断した場合に、金銭の投入を促し、当該金銭投入が確認できた段階で、押下された商品選択ボタンに対応する商品を払い出し、その後、今回の購入によるポイントを前回までのトータルポイントに加算し、その加算結果を記憶し、加算後のトータルポイントが賞品と交換可能な所定の最終ポイントに達している場合に、賞品交換用カードを排出し、同時に、当該トータルポイントをクリアすることを特徴とする。
【００２５】
この発明によれば、自動販売機に指紋センサ機能付き商品選択ボタンを設けることによって、登録済みのすべての商品購入希望者に対して、ポイントコレクションサービスを提供する。
【００２６】
請求項８の発明にかかる自動販売機において、さらに、前記制御手段は、前記商品購入希望者によって選択された商品の払い出しが完了した後に、新たに商品購入ボタンが押下された場合（連続購入）、前記ポイントの加算処理を実行し、最後の商品の払い出しが完了後、前記サービス案内状態に移行し、一方で、前記連続購入中に所定の最終ポイントに達した場合には、前記賞品交換用カードを排出することを特徴とする。
【００２７】
この発明によれば、連続購入を行う場合であっても、テンキーによる認識番号の入力、指紋センサ機能付き登録スイッチの押下、または指紋センサ機能付き商品選択ボタンの押下、を何度も繰り返し実行することなく、ポイント加算処理を行う。
【００２８】
請求項９の発明にかかるポイントコレクションサービス実行プログラムにあっては、商品購入希望者に対して登録ボタンの押下または登録済みの識別番号の入力を促す（サービス案内状態）第１ステップと、前記登録ボタンの押下が確認できた段階で、前記商品購入希望者がポイントコレクションサービスを初めて利用する未登録者であると判断し、前記サービスを提供するために必要となる任意の識別番号の入力を促す第２ステップと、前記識別番号の入力が確認できた段階で、その入力内容を登録し、その後、金銭の投入を促す第３ステップと、前記第３ステップに対する応答として、金銭投入が確認できた段階で、購入を希望する商品の選択を促す第４ステップと、商品選択ボタンの押下が確認できた段階で、対応する商品を払い出し、さらに、今回の購入によるポイントを記憶する第５ステップと、前記サービス案内状態において、登録済みの識別番号の入力が確認できた段階で、現在までのトータルポイントを表示する第６ステップと、前記トータルポイントが予め規定された通過ポイントと一致した場合に、サービス対応商品を払い出す第７ステップと、前記通過ポイントと一致していない場合に、金銭の投入を促す第８ステップと、前記第８ステップに対する応答として、金銭投入が確認できた段階で、購入を希望する商品の選択を促す第９ステップと、商品選択ボタンの押下が確認できた段階で、対応する商品を払い出し、その後、今回の購入によるポイントを前回までのトータルポイントに加算し、その加算結果を記憶する第１０ステップと、前記加算後のトータルポイントが賞品と交換可能な所定の最終ポイントに達している場合に、賞品交換用カードを排出し、同時に、当該トータルポイントをクリアする第１１ステップと、をコンピュータに実行させることを特徴とする。
【００２９】
この発明によれば、カードリーダ等の高価な機器を必要としない簡易な構成で、商品の購入者に対してポイントコレクションサービスを提供できる。また、ポイントカードを使用していないため運用コストを低減できる。また、ポイントコレクションサービス実行プログラムはハードウェアに依存しない言語（ＪＡＶＡ（Ｒ）等）を用いて作成し、自動販売機には、たとえば、パソコンで開発したプログラムを自由にインストールすることとしたため、ＣＰＵの負荷に応じて、ポイントコレクションサービス実行プログラムのインストール／アンインストールが自由となり、さらに、プログラムの変更も容易となる。
【００３０】
請求項１０の発明にかかるポイントコレクションサービス実行プログラムにあっては、商品購入希望者に対して指紋センサ機能付き登録スイッチの押下を促す（サービス案内状態）第１ステップと、前記指紋センサ機能付き登録スイッチの押下が確認できた段階で、前記商品購入希望者がポイントコレクションサービスを初めて利用する未登録者であると判断した場合に、検出した指紋データを登録し、その後、金銭の投入を促す第２ステップと、前記第２ステップに対する応答として、金銭投入が確認できた段階で、購入を希望する商品の選択を促す第３ステップと、商品選択ボタンの押下が確認できた段階で、対応する商品を払い出し、さらに、今回の購入によるポイントを記憶する第４ステップと、前記サービス案内状態において、前記指紋センサ機能付き登録スイッチの押下が確認できた段階で、前記商品購入希望者が前記サービスの登録者であると判断した場合に、現在までのトータルポイントを表示する第５ステップと、前記トータルポイントが予め規定された通過ポイントと一致した場合に、サービス対応商品を払い出す第６ステップと、前記通過ポイントと一致していない場合に、金銭の投入を促す第７ステップと、前記第７ステップに対する応答として、金銭投入が確認できた段階で、購入を希望する商品の選択を促す第８ステップと、商品選択ボタンの押下が確認できた段階で、対応する商品を払い出し、その後、今回の購入によるポイントを前回までのトータルポイントに加算し、その加算結果を記憶する第９ステップと、前記加算後のトータルポイントが賞品と交換可能な所定の最終ポイントに達している場合に、賞品交換用カードを排出し、同時に、当該トータルポイントをクリアする第１０ステップと、をコンピュータに実行させることを特徴とする。
【００３１】
この発明によれば、カードリーダ等の高価な機器を必要としない簡易な構成で、商品の購入者に対してポイントコレクションサービスを提供できる。また、ポイントカードを使用していないため運用コストを低減できる。また、ポイントコレクションサービス実行プログラムはハードウェアに依存しない言語（ＪＡＶＡ（Ｒ）等）を用いて作成し、自動販売機には、たとえば、パソコンで開発したプログラムを自由にインストールすることとしたため、ＣＰＵの負荷に応じて、ポイントコレクションサービス実行プログラムのインストール／アンインストールが自由となり、さらに、プログラムの変更も容易となる。
【００３２】
請求項１１の発明にかかるポイントコレクションサービス実行プログラムにあっては、商品購入希望者に対して指紋センサ機能付き商品選択ボタンの押下を促す（サービス案内状態）第１ステップと、前記指紋センサ機能付き商品選択ボタンの押下が確認できた段階で、前記商品購入希望者がポイントコレクションサービスを初めて利用する未登録者であると判断した場合に、検出した指紋データを登録し、その後、金銭の投入を促す第２ステップと、前記金銭投入が確認できた段階で、押下された商品選択ボタンに対応する商品を払い出し、さらに、今回の購入によるポイントを記憶する第３ステップと、前記サービス案内状態において、前記指紋センサ機能付き商品選択ボタンの押下が確認できた段階で、前記商品購入希望者が前記サービスの登録者であると判断した場合に、金銭の投入を促す第４ステップと、前記金銭投入が確認できた段階で、押下された商品選択ボタンに対応する商品を払い出し、その後、今回の購入によるポイントを前回までのトータルポイントに加算し、その加算結果を記憶する第５ステップと、前記加算後のトータルポイントが賞品と交換可能な所定の最終ポイントに達している場合に、賞品交換用カードを排出し、同時に、当該トータルポイントをクリアする第６ステップと、をコンピュータに実行させることを特徴とする。
【００３３】
この発明によれば、カードリーダ等の高価な機器を必要としない簡易な構成で、商品の購入者に対してポイントコレクションサービスを提供できる。また、ポイントカードを使用していないためコストを低減できる。また、ポイントコレクションサービス実行プログラムはハードウェアに依存しない言語（ＪＡＶＡ（Ｒ）等）を用いて作成し、自動販売機には、たとえば、パソコンで開発したプログラムを自由にインストールすることとしたため、ＣＰＵの負荷に応じて、ポイントコレクションサービス実行プログラムのインストール／アンインストールが自由となり、さらに、プログラムの変更も容易となる。
【００３４】
【発明の実施の形態】
以下に、本発明にかかる自動販売機およびポイントコレクションサービス実行プログラムの実施の形態を図面に基づいて詳細に説明する。なお、この実施の形態によりこの発明が限定されるものではない。
【００３５】
（実施の形態１）
図１（ａ）および（ｂ）は、本発明にかかる自動販売機の実施の形態１の構成を示す図である。図１において、１は自動販売機であり、１１は自動販売機として必要な最小限の動作（商品の販売や機器の冷却／加熱に必須の制御）を制御する基本制御部（ＣＰＵを含む）であり、１２は基本制御部１１に含まれない付加価値的な機能（通信機能を利用した基本オペレーション，割引サービス，ポイントコレクションサービス，リモート冷温切り替え，稼動情報収集，機器制御設定，コインメック予防保全，および故障情報管理等）を実現するためのアプリケーションプログラムを制御するアプリケーション制御部（ＣＰＵを含む）であり、１３は商品の購入者がポイントコレクションサービスの提供を受けるために必要なＩＤ（任意の番号）およびパスワード（任意の番号）を登録するための操作部（テンキー）であり、１４はポイントコレクションサービスに関する各種情報を表示するための表示部であり、１５は、ポイントコレクションサービス用のカードを排出するカード排出部である。なお、上記操作部１３，表示部１４およびカード排出部１５については、自動販売機１に内蔵してもよいし、接続ケーブル等によって外付けしてもよい。
【００３６】
ここで、上記本実施の形態の自動販売機１の基本制御について説明する。たとえば、従来の自動販売機は、１つの制御部（ＣＰＵ）により各種機能（商品販売や機器の冷却／加熱に必須の機能、およびそれ以外の付加価値的な機能）を実現していた。しかしながら、現状では、自動販売機の多機能化に伴って、１つの制御部ですべての機能を実現することが困難になってきている。また、従来の自動販売機は、すべての機能が機器製造メーカ側で開発されているため、商品を販売する業者にとって全く必要のない機能が含まれてしまう場合がある。
【００３７】
そこで、本実施の形態では、自動販売機の多機能化および商品販売業者のニーズに対応するために制御部を２つに分離し、一方の基本制御部１１にて商品販売に必須の機能だけを実現し、他方のアプリケーション制御部１２にて商品販売業者にとって必要な付加価値的な機能を実現する。このとき、付加価値的な機能を実現するためのアプリケーションプログラムは、ハードウェアに依存しない言語（ＪＡＶＡ（Ｒ）等）を用いて作成することとし、自動販売機は、複数の環境（パソコン）で開発したプログラムを自由にインストールできるように構成する。これにより、上記付加価値的な機能を選択的に実現できるとともに、さらに、商品販売業者が開発した独自の機能を実現することもできる。
【００３８】
なお、本実施の形態においては、上記のように、２つの制御部を用いて上記機能を実現する場合について説明するが、これに限らず、たとえば、高性能のＣＰＵを採用することによって、１つの制御部にて上記機能を実現することとしてもよい。
【００３９】
つぎに、上記ポイントコレクションサービスを提供可能な本実施の形態の自動販売機１の動作について説明する。図２は、本実施の形態のポイントコレクションサービス実行プログラムを実行可能な、自動販売機１内のアプリケーション制御部１２の構成を示す図である。
【００４０】
このアプリケーション制御部１２は、たとえば、ＣＰＵを含む制御ユニット１０１と、メモリユニット１０２と、ディスクユニット（ハードディスク）１０３と、外部Ｉ／Ｆユニット１０４と、を備え、これらの各ユニットは、それぞれシステムバスＡを介して接続されている。
【００４１】
メモリユニット１０２は、ＲＡＭ，ＲＯＭ等のメモリを含み、制御ユニット１０１が実行すべきポイントコレクションサービス実行プログラム，初期設定データおよび処理の過程で得られたデータ等を記憶する。また、ディスクユニット１０３には、本実施の形態のポイントコレクションサービス実行プログラムが格納されている。そして、外部Ｉ／Ｆユニット１０４には、上記操作部１３（テンキー）や表示部１４（ディスプレイ）が接続され、さらに、各種外部記憶ユニットやリモコンやプリンタ等の様々な周辺機器が接続可能である。なお、メモリユニット１０２は、ディスクユニット１０３を包含することも可能である。
【００４２】
上記のように構成されるアプリケーション制御部１２に対して、まず、自動販売機製造業者または商品販売業者は、ポイントコレクションサービス実行プログラムをインストールする。また、サービスの形態にあわせてプロモーション設定（サービス開始に伴うポイントの設定，表示部１４へのメッセージ表示内容の設定，サービスの開始時期（日付，時間）の設定，サービスの終了時期の設定等）を行う。なお、ポイントの設定については、サービス対象の商品毎またはコラム毎に変更可能とする。また、特定の商品にだけポイントを設定することもできる。これにより、商品の値段に応じた詳細な設定や、複数のメーカが混在する場合の個別の設定、が可能となる。
【００４３】
そして、自動販売機１の電源が投入されると、ディスクユニット１０３から読み出されたポイントコレクションサービス実行プログラムが、メモリユニット１０２に格納される。この状態で、制御ユニット１０１（ＣＰＵ）は、本実施の形態のポイントコレクションサービス実行プログラムの実行を開始する。
【００４４】
なお、本実施の形態においては、特に指定はしていないが、たとえば、ＣＤ−ＲＯＭ，フロッピー（Ｒ）ディスク，光磁気ディスク，磁気テープ等の記録媒体からプログラムをダウンロードすることが可能である。
【００４５】
つぎに、本実施の形態のポイントコレクションサービス実行プログラムを実行した場合のアプリケーション制御部１２の動作を、図面を用いて詳細に説明する。図３は、アプリケーション制御部１２の動作を示すフローチャートであり、詳細には、未登録の購入希望者に対してポイントコレクションサービスを提供する場合と、登録済みの購入希望者に対して当該サービスを提供する場合、の一例を示す図である。なお、本実施の形態の自動販売機１にてポイントコレクションサービスを提供する場合は、ステッカーや表示部１４を用いて、ポイントコレクションサービスが提供可能であることを予め表示しておく。
【００４６】
まず、自動販売機１内のアプリケーション制御部１２では、表示部１４に「登録ボタンの押下」および「登録済みのＩＤおよびパスワードの入力」を促すメッセージを表示する（ステップＳ１）。なお、このとき、表示部１４による表示は、メッセージ表示に限らず、たとえば、登録処理や入力処理（ＩＤやパスワード）に対応したＬＥＤを点灯／点滅させることとしてもよい。また、表示部１４以外の場所に当該サービスに関する操作手順が表示されている場合には、上記表示処理を削除することができる。
【００４７】
たとえば、操作部１３上の登録ボタンが押下された場合（ステップＳ２，Ｙｅｓ）、アプリケーション制御部１２では、初めてこの自動販売機１を利用する商品購入希望者であると判断し、すなわち、ポイントコレクションサービスに関する登録処理を済ませていないと判断し、表示部１４に、当該サービスを受けるために必要となる「任意のＩＤとパスワードの入力」を促すメッセージを表示する（ステップＳ３）。
【００４８】
操作部１３上の決定ボタンの押下によりＩＤとパスワードの入力が確認できると（ステップＳ４，Ｙｅｓ）、アプリケーション制御部１２では、当該ＩＤとパスワードを自動販売機１内のメモリユニット１０２に登録し、表示部１４に、金銭（コインおよび紙幣）の投入を促すメッセージを表示する（ステップＳ５）。このとき、アプリケーション制御部１２では、金銭の投入を監視し、商品購入希望者によって金銭が投入された場合（ステップＳ６，Ｙｅｓ）、購入を希望する商品の選択を促す（商品の選択ボタンの押下を促す）。
【００４９】
商品選択ボタンの押下が確認できると（ステップＳ７）、アプリケーション制御部１２では、対応する商品を払い出し（ステップＳ８）、その後、今回の購入により取得したポイントを加算し、その結果を表示部１４に表示する（ステップＳ９）。そして、上記加算結果をメモリユニット１０２に記憶する。なお、上記加算結果については表示しないこととしてもよい。
【００５０】
そして、今回は、商品購入希望者がポイントコレクションサービスを初めて利用し、加算ポイントがまだ所定のポイントに達していないことを前提としているため、すなわち、カード排出ポイントに達することはないため（ステップＳ１５，Ｎｏ）、アプリケーション制御部１２では、所定時間内に新たに商品選択ボタンが押下されなければ（ステップＳ１０，Ｎｏ）、連続購入がないと判断し、釣銭を排出後（釣銭があるときのみ）、再度、サービス案内表示の状態に移行する。なお、連続購入が行われた場合には（ステップＳ１０，Ｙｅｓ）、ステップＳ８以降の処理を繰り返し実行し、最後の商品の払い出しが完了後、釣銭を排出し（釣銭があるときのみ）、再度、サービス案内表示の状態に移行する。また、連続購入中に所定のポイントに達した場合には、後述する処理にて賞品交換用カードの排出を実施する。これにより、連続購入を行う場合に、ＩＤおよびパスワードを何度も入力することなく、ポイント加算処理を行うことができる。
【００５１】
ただし、本実施の形態の自動販売機１は、必ずしも連続購入に対応する必要はなく、たとえば、商品払い出し完了後、釣銭を排出し（釣銭があるときのみ）、直ちにサービス案内表示の状態に移行することとしてもよい。
【００５２】
このように、本実施の形態の自動販売機は、操作部１３にテンキー、登録ボタンおよび決定ボタンを設けることによって、初めて上記自動販売機１を利用する商品購入希望者に対してポイントコレクションサービスを提供することができる。
【００５３】
つぎに、ステップＳ２およびＳ１１の処理において、操作部１３上のテンキーで登録済みのＩＤとパスワードが入力された場合（ステップＳ２，Ｎｏ、ステップＳ１１，Ｙｅｓ）、アプリケーション制御部１２では、商品購入希望者が既にポイントコレクションサービスに関する登録処理を済ませていると判断し、表示部１４に、現在までのポイント（集計結果）を表示する（ステップＳ１２）。そして、表示ポイントがおまけ販売ポイント（たとえば、２０ポイント毎の通過ポイント）と一致している場合（ステップＳ１３，Ｙｅｓ）、サービス対応商品（予め決定されたキャンペーン商品，商品購入者によって選択された同一値段の商品，払い出し用に用意された他の商品、等）を払い出す（ステップＳ１４）。なお、おまけ販売では、ポイントの加算／減算を行わない。また、本実施の形態では、おまけ販売後、サービス案内表示に移行しているが、これに限らず、たとえば、続けて商品購入のための金銭投入を行えるようにしてもよい。
【００５４】
一方、表示ポイントがおまけ販売ポイントに達していない場合（ステップＳ１３，Ｎｏ）、アプリケーション制御部１２では、表示部１４に、金銭の投入を促すメッセージを表示する（ステップＳ５）。このとき、アプリケーション制御部１２では、金銭の投入を監視し、商品購入希望者によって金銭が投入された場合（ステップＳ６，Ｙｅｓ）、購入を希望する商品の選択を促す（商品の選択ボタンの押下を促す）。
【００５５】
商品選択ボタンの押下が確認できると（ステップＳ７）、アプリケーション制御部１２では、対応する商品を払い出し（ステップＳ８）、その後、今回の購入により取得したポイントを前回までのポイントに加算し、その結果を表示する（ステップＳ９）。そして、上記加算結果をメモリユニット１０２に記憶する。なお、上記加算結果については表示しないこととしてもよい。
【００５６】
そして、アプリケーション制御部１２では、加算後のポイントがカード排出の対象となる所定の最終ポイント（たとえば、１００ポイント）に達している場合に（ステップＳ１５，Ｙｅｓ）、賞品交換用カードを排出し（ステップＳ１６）、この時点で、ポイントをクリアする（ステップＳ１７）。なお、賞品交換用カードを受け取ったサービス利用者は、このカードを所定の場所に郵送、または持参することにより賞品と交換する。
【００５７】
すなわち、本実施の形態では、予め定められた通過ポイント（おまけ販売ポイント）で、自動販売機１内の商品をおまけとして提供し、カード排出ポイントで、賞品交換用カードを排出する。これにより、自動販売機の利用者に対して、商品の購入意欲を促している。なお、サービスの形態は、これに限らず、おまけ販売またはカード排出のいずれかを実施することとしてもよい。また、加算ポイント数については変更可能とする。
【００５８】
また、加算後のポイントがカード排出対象となる所定のポイントに達していない場合（ステップＳ１５，Ｎｏ）や、上記ポイントクリア後、アプリケーション制御部１２では、所定時間内に連続購入がなければ（ステップＳ１０，Ｎｏ）、釣銭を排出後（釣銭があるときのみ）、再度、サービス案内表示の状態に移行する。なお、連続購入が行われた場合には（ステップＳ１０，Ｙｅｓ）、ステップＳ８以降の処理を繰り返し実行し、最後の商品の払い出しが完了後、釣銭を排出し（釣銭があるときのみ）、再度、サービス案内表示の状態に移行する。また、連続購入中に所定のカード排出ポイントに達した場合には、上記処理にて賞品交換用カードを排出する。
【００５９】
このように、本実施の形態の自動販売機は、操作部１３上のテンキーを用いて登録済みのＩＤおよびパスワードを入力することによって、すべての商品購入希望者に対してポイントコレクションサービスを提供することができる。
【００６０】
なお、図示はしていないが、サービスの案内が表示されている状況で（ステップＳ１）、直接金銭が投入され、商品選択ボタンが押下された場合、アプリケーション制御部１２では、選択された商品を払い出し（通常の販売を行う）、ポイント加算処理を行わない。
【００６１】
このように、本実施の形態の自動販売機は、ポイントコレクションサービスの提供を希望しない商品購入希望者にも容易に対応することができる。
【００６２】
以上、本実施の形態においては、自動販売機が、自律的に上記ポイントコレクションサービス実行プログラムを実行し（スタンドアローン方式）、操作部１３（テンキー，登録ボタン，決定ボタン等）や表示部１４を用いてポイントコレクションサービスを提供する構成とした。これにより、ポイントカードの読み書きが必要なくなるため、カードリーダ等の高価な機器を必要としない簡易な構成で、商品の購入者に対してポイントコレクションサービスを提供できる。また、ポイントカードを使用していないため運用コストを低減できる。
【００６３】
また、ポイントコレクションサービス実行プログラムはハードウェアに依存しない言語（ＪＡＶＡ（Ｒ）等）を用いて作成し、自動販売機は、たとえば、パソコンで開発したプログラムを自由にインストールできるような構成とした。これにより、ＣＰＵの負荷に応じて、ポイントコレクションサービス実行プログラムのインストール／アンインストールが自由となり、さらに、プログラムの変更も容易となる。
【００６４】
（実施の形態２）
図４（ａ）および（ｂ）は、本発明にかかる自動販売機の実施の形態２の構成を示す図である。図４において、１ａは自動販売機であり、１６は指紋センサと押しボタンスイッチを一体化させた指紋センサ部である。なお、前述の実施の形態１と同様の構成については、同一の符号を付してその説明を省略する。また、アプリケーション制御部１２の構成についても、前述の図２と同様であるため同一の符号を付してその説明を省略する。また、上記指紋センサ部１６については、表示部１４，カード排出部１５と同様に、自動販売機１に内蔵してもよいし、接続ケーブル等によって外付けしてもよい。
【００６５】
ここで、実施の形態２のポイントコレクションサービス実行プログラムを実行した場合のアプリケーション制御部１２の動作を、図面を用いて詳細に説明する。図５は、アプリケーション制御部１２の動作を示すフローチャートである。ここでは、実施の形態１と異なる動作についてのみ説明する。
【００６６】
まず、自動販売機１内のアプリケーション制御部１２では、表示部１４に「指紋センサ部１６の押下」を促すメッセージを表示する（ステップＳ２１）。なお、表示部１４以外の場所に当該サービスに関する操作手順が表示されている場合には、上記表示処理を削除することができる。
【００６７】
この状態で、たとえば、初めてこの自動販売機１ａを利用する商品購入希望者が指紋センサ部１６を押下した場合（ステップＳ２２，未登録）、アプリケーション制御部１２では、検出した指紋データを自動販売機１ａ内のメモリユニット１０２に登録し、表示部１４に、金銭（コインおよび紙幣）の投入を促すメッセージを表示する（ステップＳ５）。なお、ステップＳ６以降の動作については、前述の実施の形態１と同様であるため説明を省略する。
【００６８】
一方、ステップＳ２２の処理において、登録済みの商品購入希望者が指紋センサ部１６を押下した場合（ステップＳ２２，登録済）、アプリケーション制御部１２では、表示部１４に、現在までのポイント（集計結果）を表示する（ステップＳ１２）。そして、表示ポイントがおまけ販売ポイント（通過ポイント）と一致している場合（ステップＳ１３，Ｙｅｓ）、サービス対応商品（予め決定されたキャンペーン商品，商品購入者によって選択された同一値段の商品，払い出し用に用意された他の商品、等）を払い出す（ステップＳ１４）。なお、おまけ販売では、ポイントの加算／減算を行わない。また、本実施の形態では、おまけ販売後、サービス案内表示に移行しているが、これに限らず、たとえば、続けて商品購入のための金銭投入を行えるようにしてもよい。
【００６９】
一方、表示ポイントがおまけ販売ポイントと一致していない場合（ステップＳ１３，Ｎｏ）、アプリケーション制御部１２では、表示部１４に、金銭の投入を促すメッセージを表示する（ステップＳ５）。なお、ステップＳ６以降の動作については、前述の実施の形態１と同様であるため説明を省略する。
【００７０】
なお、前述の実施の形態１と同様に図示はしていないが、サービスの案内が表示されている状況で（ステップＳ２１）、直接金銭が投入され、商品選択ボタンが押下された場合、アプリケーション制御部１２では、選択された商品を払い出し（通常の販売を行う）、ポイント加算処理を行わない。
【００７１】
このように、本実施の形態においては、自動販売機が、自律的に上記ポイントコレクションサービス実行プログラムを実行し（スタンドアローン方式）、指紋センサ部１６や表示部１４を用いてポイントコレクションサービスを提供する構成とした。これにより、カードリーダ等の高価な機器を必要としない、前述の実施の形態１よりも簡易な構成で、商品の購入者に対してポイントコレクションサービスを提供できる。また、ポイントカードを使用していないため運用コストを低減できる。
【００７２】
また、ポイントコレクションサービス実行プログラムはハードウェアに依存しない言語（ＪＡＶＡ（Ｒ）等）を用いて作成し、自動販売機は、たとえば、パソコンで開発したプログラムを自由にインストールできるような構成とした。これにより、ＣＰＵの負荷に応じて、ポイントコレクションサービス実行プログラムのインストール／アンインストールが自由となり、さらに、プログラムの変更も容易となる。
【００７３】
また、指紋センサ部１６が押下された場合にのみ指紋センサへ通電することにより、待機時の消費電力を低減できる。
【００７４】
なお、本実施の形態においては、自動販売機１ａに指紋センサ部１６を設ける構成としたが、たとえば、指紋センサ部１６を削除し、通常の賞品選択ボタンのかわりに指紋センサ機能付きの商品選択ボタンを採用することによっても、上記ポイントコレクションサービスを実現することができる。この場合、初めてこの自動販売機を利用する商品購入希望者は、指紋センサ機能付き商品選択ボタンを押下するだけで登録処理が完了し、さらに、登録が完了したすべての商品購入希望者は、指紋センサ機能付き商品選択ボタンを押下するだけで当該サービスの提供を受けることができる。すなわち、図５のステップＳ２１およびＳ２２では、所望の商品に対応した指紋センサ機能付き商品選択ボタンの押下を促し、登録済／未登録にかかわらず、金銭投入を促す。また、図５のステップＳ７の処理は、ステップＳ２２で選択済みのため、削除する。また、登録を望まない人のために、たとえば、登録ボタンを設けることとしてもよい。たとえば、登録を希望する場合には、登録ボタンを押下してから指紋センサ機能付き商品選択ボタンを押下し、登録を希望しない場合には、直接指紋センサ機能付き商品選択ボタンを押下する。すなわち、登録ボタンを押下せずに商品選択ボタンを押下した場合には、指紋データは登録されない。
【００７５】
また、上記実施の形態１および２は、金銭投入の前に、ＩＤ，パスワードの入力、あるいは、指紋センサの押下、を行う構成であったが、これに限らず、金銭投入後に上記処理を行うこととしてもよい。
【００７６】
【発明の効果】
以上、説明したとおり、請求項１，２および５の発明によれば、自動販売機にテンキー、登録ボタンおよび決定ボタン等を設けることによって、初めてこの自動販売機を利用する商品購入希望者に対してポイントコレクションサービスを提供する。また、自動販売機に設けたテンキーを用いて登録済みの認識番号を入力することによって、登録済みのすべての商品購入希望者に対してポイントコレクションサービスを提供する。また、ポイントコレクションサービスの提供を希望しない商品購入希望者にも容易に対応する。このように、本発明によれば、カードリーダ等の高価な機器を必要としない簡易な構成で、商品の購入者に対してポイントコレクションサービスを提供することができる、という効果を奏する。
【００７７】
請求項３，４および５の発明によれば、自動販売機に指紋センサ機能付き登録スイッチを設けることによって、初めてこの自動販売機を利用する商品購入希望者、および登録済みのすべての商品購入希望者に対して、ポイントコレクションサービスを提供する。また、ポイントコレクションサービスの提供を希望しない商品購入希望者にも容易に対応する。このように、本発明によれば、カードリーダ等の高価な機器を必要としない簡易な構成で、商品の購入者に対してポイントコレクションサービスを提供することができる、という効果を奏する。
【００７８】
請求項６および７の発明によれば、自動販売機に指紋センサ機能付き商品選択ボタンを設けることによって、初めてこの自動販売機を利用する商品購入希望者に対してポイントコレクションサービスを提供し、さらに、登録済みのすべての商品購入希望者に対してもポイントコレクションサービスを提供する。また、ポイントコレクションサービスの提供を希望しない商品購入希望者にも容易に対応する。このように、本発明によれば、カードリーダ等の高価な機器を必要としない簡易な構成で、商品の購入者に対してポイントコレクションサービスを提供することができる、という効果を奏する。
【００７９】
請求項８の発明によれば、連続購入を行う場合に、認識番号の入力、指紋センサ機能付き登録スイッチの押下、または指紋センサ機能付き商品選択ボタンの押下を何度も繰り返し実行することなく、ポイント加算処理を行うことができる、という効果を奏する。
【００８０】
請求項９，１０および１１の発明によれば、カードリーダ等の高価な機器を必要としない簡易な構成で、商品の購入者に対してポイントコレクションサービスを提供できる、という効果を奏する。また、ポイントカードを使用していないため運用コストを低減できる、という効果を奏する。また、ポイントコレクションサービス実行プログラムはハードウェアに依存しない言語（ＪＡＶＡ（Ｒ）等）を用いて作成し、自動販売機には、たとえば、パソコンで開発したプログラムを自由にインストールすることとしたため、ＣＰＵの負荷に応じて、ポイントコレクションサービス実行プログラムのインストール／アンインストールが自由となり、さらに、プログラムの変更も容易となる、という効果を奏する。
【図面の簡単な説明】
【図１】本発明にかかる自動販売機の実施の形態１の構成を示す図である。
【図２】本実施の形態のポイントコレクションサービス実行プログラムを実行可能な、自動販売機内のアプリケーション制御部１２の構成を示す図である。
【図３】アプリケーション制御部１２の動作を示すフローチャートである。
【図４】本発明にかかる自動販売機の実施の形態２の構成を示す図である。
【図５】アプリケーション制御部１２の動作を示すフローチャートである。
【図６】従来のサービス機能付き自動販売機の外観を示す概略図である。
【符号の説明】
１，１ａ  自動販売機
１１  基本制御部
１２  アプリケーション制御部
１３  操作部
１４  表示部
１５  カード排出部
１６  指紋センサ部
１０１  制御ユニット
１０２  メモリユニット
１０３  ディスクユニット
１０４  外部Ｉ／Ｆユニット
【図１】
0003743346.tif 000002
【図２】
0003743346.tif 000003
【図３】
0003743346.tif 000004
【図４】
0003743346.tif 000005
【図５】
0003743346.tif 000006
【図６】
0003743346.tif 000007